【手続補正書】
【提出日】平成18年12月14日(2006.12.14)
【手続補正１】
【補正対象書類名】明細書
【補正対象項目名】特許請求の範囲
【補正方法】変更
【補正の内容】
【特許請求の範囲】
【請求項１】
光源手段と、光偏向器と、前記光源手段から出射した光束を前記光偏向器の偏向面に導く入射光学系と、前記光偏向器の偏向面にて偏向走査された光束を被走査面上に結像させる結像光学系と、前記光偏向器と前記被走査面の間の光路中に配置されたミラーと、を備えた光走査装置であって、
前記光偏向器の偏向面に入射する光束の主走査方向の光束幅は、前記光偏向器の偏向面の主走査方向の幅よりも大きく、
前記光偏向器の偏向面に入射する光束は、前記偏向面に対して副走査方向において斜め方向から前記偏向面に入射しており、
前記光偏向器の偏向面に入射する光束は、主走査方向において走査範囲の中心から前記偏向面に入射しており、
前記ミラーの反射率は、主走査方向に沿って軸上から軸外に向うに従い大きくなっており、
前記ミラーの軸上の反射率をＲ０、前記ミラーの軸外の反射率をＲθとしたとき、
【数１】
2000241732.tif 000001
但し、
【数２】
2000241732.tif 000002
Ｍ：前記光偏向器の偏向面の面数
Ｄ：走査効率
Ｆ：前記入射光学系の光源手段側の実効ＦＮｏ
α：前記光源手段の半値全幅によって示される放射角
なる条件を満足することを特徴とする光走査装置。
【請求項２】
光源手段と、光偏向器と、前記光源手段から出射した光束を前記光偏向器の偏向面に導く入射光学系と、前記光偏向器の偏向面にて偏向走査された光束を被走査面上に結像させる結像光学系と、前記光偏向器と前記被走査面の間の光路中に前記光偏向器側から順に配置された第一のミラー及び第二のミラーの少なくも２枚のミラーと、を備えた光走査装置であって、
前記光偏向器の偏向面に入射する光束の主走査方向の光束幅は、前記光偏向器の偏向面の主走査方向の幅よりも大きく、
前記第一のミラーの反射率及び前記第二のミラーの反射率は、共に主走査方向に沿って軸上から軸外に向うに従い大きくなっており、
前記被走査面側に配置された前記第二のミラーの軸外の反射率と前記第二のミラーの軸上の反射率の差の方が、前記光偏向器側に配置された前記第一のミラーの軸外の反射率と前記第一のミラーの軸上の反射率の差より大きいことを特徴とする光走査装置。
【請求項３】
前記光偏向器の偏向面に入射する光束は、前記偏向面に対して副走査方向において斜め方向から前記偏向面に入射しており、
前記光偏向器の偏向面に入射する光束は、主走査方向において走査範囲の中心から前記偏向面に入射しており、
前記第一のミラーと前記第二のミラーの軸上の反射率の積をＲ'０、前記第一のミラーと前記第二のミラーの軸外の反射率の積をＲ'θとしたとき、
【数３】
2000241732.tif 000003
但し、
【数４】
2000241732.tif 000004
Ｍ：前記光偏向器の偏向面の面数
Ｄ：走査効率
Ｆ：前記入射光学系の光源手段側の実効ＦＮｏ
α：前記光源手段の半値全幅によって示される放射角
なる条件を満足することを特徴とする請求項２に記載の光走査装置。
【請求項４】
請求項１乃至３の何れか一項記載の光走査装置と、前記光走査装置の被走査面に配置された感光体と、該感光体上を光束が走査することによって形成された静電潜像をトナー像として現像する現像手段と、該現像されたトナー像を用紙に転写する転写手段と、転写されたトナー像を用紙に定着させる定着手段とを備えたことを特徴とする画像形成装置。
【手続補正２】
【補正対象書類名】明細書
【補正対象項目名】００１６
【補正方法】変更
【補正の内容】
【００１６】
【課題を解決するための手段】
請求項１の発明の光走査装置は、光源手段と、光偏向器と、前記光源手段から出射した光束を前記光偏向器の偏向面に導く入射光学系と、前記光偏向器の偏向面にて偏向走査された光束を被走査面上に結像させる結像光学系と、前記光偏向器と前記被走査面の間の光路中に配置されたミラーと、を備えた光走査装置であって、
前記光偏向器の偏向面に入射する光束の主走査方向の光束幅は、前記光偏向器の偏向面の主走査方向の幅よりも大きく、
前記光偏向器の偏向面に入射する光束は、前記偏向面に対して副走査方向において斜め方向から前記偏向面に入射しており、
前記光偏向器の偏向面に入射する光束は、主走査方向において走査範囲の中心から前記偏向面に入射しており、
前記ミラーの反射率は、主走査方向に沿って軸上から軸外に向うに従い大きくなっており、
前記ミラーの軸上の反射率をＲ０、前記ミラーの軸外の反射率をＲθとしたとき、
【数５】
2000241732.tif 000005
但し、
【数６】
2000241732.tif 000006
Ｍ：前記光偏向器の偏向面の面数
Ｄ：走査効率
Ｆ：前記入射光学系の光源手段側の実効ＦＮｏ
α：前記光源手段の半値全幅によって示される放射角
なる条件を満足することを特徴としている。
【手続補正３】
【補正対象書類名】明細書
【補正対象項目名】００１７
【補正方法】変更
【補正の内容】
【００１７】
請求項２の発明の光走査装置は、
光源手段と、光偏向器と、前記光源手段から出射した光束を前記光偏向器の偏向面に導く入射光学系と、前記光偏向器の偏向面にて偏向走査された光束を被走査面上に結像させる結像光学系と、前記光偏向器と前記被走査面の間の光路中に前記光偏向器側から順に配置された第一のミラー及び第二のミラーの少なくも２枚のミラーと、を備えた光走査装置であって、
前記光偏向器の偏向面に入射する光束の主走査方向の光束幅は、前記光偏向器の偏向面の主走査方向の幅よりも大きく、
前記第一のミラーの反射率及び前記第二のミラーの反射率は、共に主走査方向に沿って軸上から軸外に向うに従い大きくなっており、
前記被走査面側に配置された前記第二のミラーの軸外の反射率と前記第二のミラーの軸上の反射率の差の方が、前記光偏向器側に配置された前記第一のミラーの軸外の反射率と前記第一のミラーの軸上の反射率の差より大きいことを特徴としている。
【手続補正４】
【補正対象書類名】明細書
【補正対象項目名】００１８
【補正方法】変更
【補正の内容】
【００１８】
請求項３の発明は、請求項２の発明において、
前記光偏向器の偏向面に入射する光束は、前記偏向面に対して副走査方向において斜め方向から前記偏向面に入射しており、
前記光偏向器の偏向面に入射する光束は、主走査方向において走査範囲の中心から前記偏向面に入射しており、
前記第一のミラーと前記第二のミラーの軸上の反射率の積をＲ'０、前記第一のミラーと前記第二のミラーの軸外の反射率の積をＲ'θとしたとき、
【数７】
2000241732.tif 000007
但し、
【数８】
2000241732.tif 000008
Ｍ：前記光偏向器の偏向面の面数
Ｄ：走査効率
Ｆ：前記入射光学系の光源手段側の実効ＦＮｏ
α：前記光源手段の半値全幅によって示される放射角
なる条件を満足することを特徴としている。
【手続補正５】
【補正対象書類名】明細書
【補正対象項目名】００１９
【補正方法】変更
【補正の内容】
【００１９】
請求項４の発明の画像形成装置は、
請求項１乃至３の何れか一項記載の光走査装置と、前記光走査装置の被走査面に配置された感光体と、該感光体上を光束が走査することによって形成された静電潜像をトナー像として現像する現像手段と、該現像されたトナー像を用紙に転写する転写手段と、転写されたトナー像を用紙に定着させる定着手段とを備えたことを特徴としている。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００４５
【補正方法】削除
【補正の内容】